(57)【要約】      （修正有）【課題】同期信号を伝達するために使用される送信機のタイプ及び／又はキャリアのタイプを受信機が区別することを可能にする。【解決手段】無線通信ネットワークにおいて動作する無線デバイスは、ネットワーク内の複数の基地局により使用される同一のシーケンスの少なくともサブセットを用いてデバイス生成型同期信号を生成し、ネットワーク同期信号を送信するために使用される相対的位置又はマッピングとは特性的に異なる相対的位置又はマッピングに従って前記デバイス生成型同期信号を送信する。【選択図】図７
2019013030.tif 000002
【特許請求の範囲】
【請求項１】
無線通信ネットワーク（１０）において動作するために構成される無線デバイス（１６）から同期信号を送信する方法（７００）であって、
ネットワーク同期信号を生成するために前記無線通信ネットワーク（１０）内の複数の基地局（２０）により使用される同一のシーケンスの少なくともサブセットを用いて、前記同期信号を生成すること（７０２）と、
前記ネットワーク同期信号を送信するために使用される相対的位置又はマッピングとは特性的に異なる相対的位置又はマッピングに従って、前記同期信号を送信すること（７０４）と、それにより、前記同期信号が前記無線通信ネットワーク（１０）内の前記基地局（２０）のいずれかから発せられる前記ネットワーク同期信号よりもむしろデバイス生成型同期信号であると受信機が判定することを可能にすることと、
を含む方法（７００）。
【発明の詳細な説明】
【技術分野】
【０００１】
本発明は、概して、無線通信ネットワークに関し、具体的には、デバイスツーデバイス同期シーケンスを含む、そうしたネットワークにおける同期シーケンスの使用に関する。
【背景技術】
【０００２】
デバイスツーデバイス通信は、アドホックネットワーク及びセルラーネットワークを含む多くの既存の無線技術の、よく知られ広く使用されているコンポーネントである。例として、Ｂｌｕｅｔｏｏｔｈ、及びＷｉＦｉダイレクトといったＩＥＥＥ８０２．１１標準スイートの複数の派生が含まれる。これらの例示的なシステムは、アンライセンススペクトルにおいて動作する。
【発明の概要】
【発明が解決しようとする課題】
【０００３】
近年、ネットワーク内で動作する無線デバイスの近接性を活用する一方で、制御された干渉環境においてデバイスを動作させることを可能にもする手段として、デバイスツーデバイス（Ｄ２Ｄ）通信の、セルラーネットワークの下層としての使用が提案されている。１つの提案されたアプローチにおいて、Ｄ２Ｄ通信は、例えばＤ２Ｄ通信の使用のためにセルラーのアップリンクリソースのいくつかを予約することにより、セルラーシステムと同じスペクトルを共有する。しかしながら、専用的な予約よりも、セルラーサービスとＤ２Ｄ通信との間でのセルラースペクトルの動的な共有が、より有望な代替手段である。なぜなら、セルラーのスペクトルリソースは本来的に欠乏気味であるため、及び動的な割り当てがより大きなネットワークの柔軟性とより高いスペクトル効率とを提供するためである。
【０００４】
３ＧＰＰ（Third  Generation  Partnership  Project）は、ネットワーク制御型のＤ２Ｄを“Proximity  Services”又はＰｒｏＳｅとして言及し、ＬＴＥ（Long  Term  Evolution）仕様へＤ２Ｄ機能性を統合することを目指した努力が進められている。ＰｒｏＳｅ  ＳＩ（Study  Item）は、ネットワークカバレッジの外の無線デバイス−３ＧＰＰによりユーザ機器又はＵＥとしても言及される−の間で、及びカバレッジ内の無線デバイスとカバレッジ外の無線デバイスとの間で、Ｄ２Ｄ動作をサポートすることを推奨している。そうしたケースでは、隣接する無線デバイスとの局所的な同期を提供するために、あるＵＥが同期信号を定期的に送信し得る。
【０００５】
ＰｒｏＳｅ  ＳＩはまた、セル間Ｄ２Ｄシナリオをサポートすることも推奨し、ここでは、おそらくは非同期セルにキャンプオンしている複数のＵＥが、互いに同期することが可能である。さらにまた、ＰｒｏＳｅ  ＳＩは、ＬＴＥコンテキストにおいて、Ｄ２Ｄ対応のＵＥが、周波数分割複信（ＦＤＤ）セルラースペクトルについてはＤ２Ｄ通信のためにアップリンク（ＵＬ）スペクトルを使用し、時分割複信（ＴＤＤ）セルラースペクトルからはＵＬサブフレームを使用することを推奨している。その結果、Ｄ２Ｄ対応のＵＥは、セルラースペクトルのダウンリンク（ＤＬ）部分において、Ｄ２Ｄ同期信号−Ｄ２ＤＳＳと表記される−を送信することを予期されていない。その制約は、３ＧＰＰ  ＬＴＥコンテキストにおいてｅＮｏｄｅＢ又はｅＮＢとして言及され、且つ、ダウンリンク上でプライマリ同期信号（ＰＳＳ）及びセカンダリ同期信号（ＳＳＳ）を周期的に送信する、ネットワーク無線ノード又は基地局と対照をなす。
【０００６】
ＰＳＳ／ＳＳＳは、ＵＥによる、セルサーチ動作の実行と、セルラーネットワークとの初期同期の獲得とを可能にする。ＰＳＳ／ＳＳＳは、セル間干渉を制限し、セル識別エラーを最小限にし、信頼性の高い同期を得るために、良好な相関特性を有する予め定義されたシーケンスに基づいて生成される。ＰＳＳ／ＳＳＳシーケンスの、全部で５０４個の組み合わせがＬＴＥにおいて定義され、それだけの数のセルＩＤにマッピングされる。ｓｙｎｃ信号を成功裏に検出し及び識別するＵＥは、よって、対応するセルＩＤも識別することができる。
【０００７】
ＬＴＥネットワークにおける、ＤＬ上でｅＮＢにより使用されるＰＳＳ／ＳＳＳコンフィグレーションをより良好に理解するために、図１は、ＦＤＤスペクトル及びＴＤＤスペクトルのケースにおける、ＰＳＳ及びＳＳＳについての時間位置を例示している。図２は、ＰＳＳの生成と、結果的に生じる信号構造とを例示しており、図３は、ＳＳＳの生成と、結果的に生じる信号構造とを例示している。
【０００８】
図２は特に、Ｚａｄｏｆｆ−Ｃｈｕシーケンスを使用したＰＳＳの形成を大きく取り上げている。これらの符号は、全ての非ゼロラグ（nonzero  lags）においてゼロである巡回的な自己相関を有する。したがって、同期符号としてＺａｄｏｆｆ−Ｃｈｕシーケンスが使用される場合、ゼロラグにおいて−即ち、理想的なシーケンスと受信されたシーケンスとが同期されているときに−最大の相関が見られる。図３は、ＳＳＳの生成と、結果的に生じる信号構造とを例示している。ＬＴＥにおいて、ダウンリンク上でｅＮＢにより送信される際、ＰＳＳは、ＤＣサブキャリアの両側における、３１番目までのサブキャリアにマッピングされ、このことは、以下の図に示されるように、ＰＳＳが、各側に５個の予約サブキャリアを伴って、６個のリソースブロックを使用することを意味する。実質的には、ＰＳＳは、所与のシンボル時間において、ＯＦＤＭリソースグリッドの中央の６２個のサブキャリアにマッピングされ、ここで“ＯＦＤＭ”は、直交周波数分割多重を表し、ここでは１つのＯＦＤＭ信号の全体が、周波数において間隔を空けて配された複数の個別のサブキャリアを含み、各ＯＦＤＭシンボル時間における各サブキャリアが、１つのリソースエレメントを構成する。
【０００９】
図３が例示するように、ＳＳＳは、Ｚａｄｏｆｆ−Ｃｈｕシーケンスを用いずに、むしろＭシーケンスを用いて生成され、当該Ｍシーケンスは、シフトレジスタの、あり得る各ステートの巡回を通じて生成される、疑似ランダムバイナリシーケンスである。シフトレジスタ長は、シーケンス長を規定する。ＬＴＥにおけるＳＳＳの生成は、現在、長さが３１のＭシーケンスに依拠している。
【００１０】
上記に留意して、以下の方程式は、ＬＴＥネットワークにおける所与のセルの物理セル識別子を定義する。
ＮＩＤＣＥＬＬ＝３ＮＩＤ（１）＋ＮＩＤ（２）
式中、ＮＩＤ（１）は、物理レイヤセルｉｄグループ（０から１６７）であり、ＮＩＤ（２）は、グループ（０から２）内のｉｄである。注記したように、この配列は、５０４個の値のセル識別子空間を定義する。ＰＳＳは、グループＮＩＤ（２）内のセルｉｄにリンクされ、一方でＳＳＳは、グループＮＩＤ（１）内のセルｉｄと、グループＮＩＤ（２）内のセルｉｄとにリンクされる。特に、ＰＳＳは、６２の長さを有する複素シンボルの、Ｚａｄｏｆｆ−Ｃｈｕシーケンスである。グループＮＩＤ（２）内のセルｉｄによってインデックスが付けられた、３つのルートシーケンスが存在する。ＳＳＳに関し、３１の長さの２つのシーケンスは、グループＮＩＤ（１）から、及びグループＮＩＤ（２）からのセルｉｄの関数としてスクランブルされる。受信機は、ＰＳＳを復調してグループＮＩＤ（２）内の値を得ることにより、ＰＳＳ及びＳＳＳにより伝達されるセルｉｄを得て、次いで、その知識を用いてＳＳＳを復調して、グループＮＩＤ（１）内の値を得る。
【００１１】
ＬＴＥにおいてＰＳＳ及びＳＳＳを生成するために使用される、Ｚａｄｏｆｆ−Ｃｈｕシーケンス及びＭシーケンスの望ましい特性を理由として、並びに、先ほど概略を述べたような、アルゴリズムに対する既存の投資と、それに関連付けられるデバイス側の処理とを理由として、Ｄ２Ｄ同期信号（Ｄ２ＤＳＳ）のために、これらの“レガシー”ＰＳＳ／ＳＳＳの信号生成及び検出の技法を再利用することに、明確な関心が示されている。３ＧＰＰ内の無線アクセスネットーワーク（ＲＡＮ）を担当する技術仕様グループあるいはＴＳＧの、ＴＳＧ  ＲＡＮ１  ＃７４ｂｉｓ会合において、Ｄ２ＤＳＳのさらなる態様が検討されている。ＴＳＧ  ＲＡＮは、ＦＤＤ動作モード及びＴＤＤ動作モードの双方についての、ＵＴＲＡＮ（Universal  Terrestrial  Radio  Access  Network）及びＥ−ＵＴＲＡＮ（Evolved  UTRAN）の機能、要件、及びインターフェイスを定義することを担当する。以下の検討の前提が、この会合において表明されている。
−同期ソースは、少なくともＤ２ＤＳＳを送信する：Ｄ２Ｄ同期信号は、
ａ．少なくとも時間／周波数を導出するために、Ｄ２Ｄ  ＵＥにより使用され得る。
ｂ．同期ソースのｉｄ及び／又はタイプをも搬送し得る（ＦＦＳ）。
ｃ．少なくともＰＤ２ＤＳＳを含む。
ｉ．ＰＤ２ＤＳＳは、ＺＣシーケンスである。
ｉｉ．長さ  ＦＦＳ
ｄ．ＳＤ２ＤＳＳをも含んでもよい。
ｉ．ＳＤ２ＤＳＳは、Ｍシーケンスである。
ｉｉ．長さ  ＦＦＳ
−さらなる議論の目的のための概念として、次のようなチャネルが定義されるであろうことを示唆するわけではないが、物理Ｄ２Ｄ同期チャネルあるいはＰＤ２ＤＳＣＨを考慮されたい。
ｅ．以下の１つ以上を含む情報を搬送し得る（さらなる検討用又はＦＦＳ）：
ｉ．同期ソースのｉｄ
ｉｉ．同期ソースのタイプ
ｉｉｉ．データ及び／又は制御のシグナリングのためのリソース割り当て
ｉｖ．データ
ｖ．他のＦＦＳ
−同期ソースは、Ｄ２ＤＳＳを送信するいずれかのノードである。
ｆ．同期ソースは、物理ｉｄ  ＰＳＳＩＤを有する。
ｇ．同期ソースがｅＮＢである場合、Ｄ２ＤＳＳは、Ｒｅｌ−８  ＰＳＳ／ＳＳＳである。
ｈ．注記：ＲＡＮ１＃７３において、“同期リファレンス”は、よって、１つ以上の同期ソースにより送信される、Ｔｌが関連する同期信号を意味する。
【００１２】
ある範囲の様々な分散型同期プロトコルが考えられるとはいえ、３ＧＰＰにより目下考慮されている１つのオプションは、マルチホップｓｙｎｃリレーの可能性を伴う階層型の同期に基づいている。手短に言うと、幾つかのノードが、分散型同期アルゴリズムに従って、同期マスタ−同期ヘッド（ＳＨ）又はクラスタヘッド（ＣＨ）として言及されることがある−の役割を果たす。同期マスタがＵＥである場合、当該ＵＥは、Ｄ２ＤＳＳ及び／又はＰＤ２ＤＳＣＨを送信することによって同期を提供する。同期マスタがｅＮＢである場合、当該ｅＮＢは、ＭＩＢ／ＳＩＢシグナリングを使用して送信されるような、ＰＳＳ／ＳＳＳ及びブロードキャスト制御情報による同期を提供し、ここで、ＭＩＢは“マスタ情報ブロック”を、ＳＩＢは“システム情報ブロック”を表す。
【００１３】
同期マスタは、独立した同期ソースとして動作する同期ソースの特別なケースであり、即ち、無線インターフェイスの使用により他のノードからの同期を継承しない。同期ソースのカバレッジ下にあるＵＥは、予め定義されたルールに従い、それらの同期ソースにより受信された同期リファレンスに従って、Ｄ２ＤＳＳ及び／又はＰＤ２ＤＳＣＨ自体を送信する。当該ＵＥは、Ｄ２ＤＳＳ及び／又はＰＤ２ＤＳＣＨの使用により、同期マスタから受信された制御情報の少なくとも一部をも送信し得る。そうした動作モードは、ここで“ｓｙｎｃリレー”又は“ＣＰリレー”としても言及される。
【００１４】
“同期リファレンス”を、ある同期信号に関連付けられた時間リファレンス及び／又は周波数リファレンスとして定義することも有用である。例えば、リレーされた同期信号は、ファーストホップにおけるｓｙｎｃ信号として、同一の同期リファレンスに関連付けられる。
【００１５】
Ｄ２ＤＳＳ、ｓｙｎｃ信号のためにレガシーＰＳＳ／ＳＳＳを再利用することから、多数の利点又は利益が生じる。例えば、ＵＥは、ネットワーク内のｅＮＢから送信されたＰＳＳ／ＳＳＳ信号を、既に検出して処理していなければならないため、同一のＰＳＳ／ＳＳＳシーケンスがＤ２ＤＳＳのために使用される場合、実質的に同一のアルゴリズム及び処理が、Ｄ２ＤＳＳの検出のために再利用され得る。しかしながら、そうした再利用に伴って多数の潜在的な問題が生じることが、ここでは認識されている。
【００１６】
例えば、セルＩＤ［０，…，５０３］が、ＬＴＥネットワークにおいて動作するｅＮＢから提供された同期リファレンス又は同期ソースを識別するという前提を考慮されたい。同様の様式で、Ｄ２Ｄ対応型ＵＥから提供された同期リファレンス又は同期ソースを識別するために、Ｄ２Ｄ  ｉｄが使用されることも想定される。Ｄ２Ｄ  ｉｄは、セルＩＤよりも有意に長いかもしれず、例えば１６ビット以上であり、ｓｙｎｃ検出性能を有意に低下させずにＤ２ＤＳＳにマッピングされることは、不可能である。
【課題を解決するための手段】
【００１７】
ここでの教示内容の１つの態様において、送信機は、同期信号を伝達するために使用される送信機のタイプ及び／又はキャリアのタイプを受信機が区別することを可能にする、１つ以上の定義された送信特性に従って、同期信号を送信する。異なるタイプの送信機は、同一の同期信号シーケンス及び生成アルゴリズムの少なくとも幾つかを再利用するが、異なる送信パラメータを使用して、送信される同期信号に対し、１つ以上の認識可能な特性を付与する。すると、適切に構成された受信機は、どの特性がどの送信機のタイプ及び／又はキャリアのタイプに関連付けられているのかを「知ることができる」。例えば、無線通信ネットワークにおいて動作する無線デバイスは、ネットワーク同期信号の送信のためにネットワーク基地局により使用される同一のシーケンスの少なくとも幾つかを再利用するデバイス生成型同期信号を送信する。しかしながら、デバイス生成型同期信号は、ネットワーク同期信号のために使用されるものとは特性的に異なる相対的位置又はマッピングを使用して送信される。
【００１８】
１つの例において、無線デバイスは、無線通信ネットワークにおいて動作するために構成され、無線デバイスにおいて受信される同期信号を検出することと、当該受信された同期信号の相対的位置又はマッピングから、当該同期信号が、基地局から発せられたネットワーク同期信号であるのか、別の無線デバイスから発せられたデバイス生成型同期信号であるのかを決定することと、を含む方法を実装する。それに対応して、無線デバイスは、受信された同期信号がネットワーク同期信号であると決定された場合には第１の処理手続に従い、及び受信された同期信号がデバイス生成型同期信号であると決定された場合には第２の処理手続に従って、当該受信された同期信号を処理するように構成される。
【００１９】
別の例において、無線通信ネットワークにおいて動作するために構成される無線デバイスは、ネットワーク内の基地局から、及び他の無線デバイスから、信号を受信するために構成される通信インターフェイスを含む。無線デバイスはさらに、通信インターフェイスに動作可能に関連付けられる処理回路を含み、当該処理回路は、無線デバイスにおいて受信される同期信号を検出し、当該同期信号の相対的位置又はマッピングから、当該受信された同期信号が、基地局から発せられたネットワーク同期信号であるのか、別の無線デバイスから発せられたデバイス生成型同期信号であるのかを決定する、ように構成される。それに対応して、処理回路は、受信された同期信号がネットワーク同期信号であると決定された場合には第１の処理手続に従い、及び受信された同期信号がデバイス生成型同期信号であると決定された場合には第２の処理手続に従って、受信された同期信号を処理する、ように構成される。
【００２０】
別の例において、無線通信ネットワークにおいて動作するために構成される無線デバイスは、デバイス生成型同期信号を送信する方法を実装する。この方法は、ネットワーク同期信号のためにネットワーク内の複数の基地局により使用される同一のシーケンスの少なくともサブセットを用いて、デバイス生成型同期信号を生成することを含む。この方法はさらに、当該同期信号が無線通信ネットワーク内の基地局から発せられるネットワーク同期信号よりもむしろデバイス生成型同期信号であると、受信する無線デバイスが判定することを可能にする相対的位置又はマッピングに従って、デバイス生成型同期信号を送信することを含む。
【００２１】
対応する一実施形態において、無線通信ネットワークにおいて動作するために構成される無線デバイスは、ネットワーク基地局へ信号を送信するために、及び、他の無線デバイスへ信号を送信するために構成される通信インターフェイスを備え、さらに、処理回路を含む。処理回路は、通信インターフェイスに動作可能に関連付けられており、ネットワーク同期信号を生成するために、ネットワーク内の基地局により使用される同一のシーケンスの少なくともサブセットを用いて、デバイス生成型同期信号を生成するように構成される。さらに、処理回路は、当該同期信号が無線通信ネットワーク内の基地局から発せられるネットワーク同期信号よりもむしろデバイス生成型同期信号であると、受信する無線デバイスが判定することを可能にする相対的位置又はマッピングに従って、デバイス生成型同期信号を送信するように構成される。
【００２２】
当然ながら、本発明は、上記の特徴及び利点に限定されない。当業者らは、以下の詳細な説明を読み、添付の図面を見ると、さらなる特徴及び利点を認識するであろう。
【図面の簡単な説明】
【００２３】
【図１】時分割複信（ＴＤＤ）モード及び周波数分割複信（ＦＤＤ）モード用のＬＴＥ（Long  Term  Evolution）ネットワークにおいて、ダウンリンク上で送信されるプライマリ同期信号及びセカンダリ同期信号のための既知の送信タイミングを例示する図である。
【図２】ＬＴＥネットワークにおいて動作するネットワーク基地局にとって既知である通りのプライマリ同期信号の生成及び構造を例示する図である。
【図３】ＬＴＥネットワークにおいて動作するネットワーク基地局にとって既知である通りのセカンダリ同期信号の生成及び構造を例示する図である。
【図４】ここでの教示内容に従って１つ以上の無線デバイスが構成される、無線通信ネットワークの１つの実施形態のブロック図である。
【図５】ここでの教示内容に従って構成される、ＬＴＥネットワーク内のｅＮＢなどの基地局及び無線デバイスについての例示的な詳細の１つの実施形態のブロック図である。
【図６】無線デバイスにおいて受信される同期信号を処理する方法の１つの実施形態の論理フロー図である。
【図７】無線デバイスからデバイスツーデバイス（Ｄ２Ｄ）同期信号を送信する方法の１つの実施形態の論理フロー図である。
【発明を実施するための形態】
【００２４】
図４は、無線アクセスネットワーク（ＲＡＮ）１２及びコアネットワーク（ＣＮ）１４を含む無線通信ネットワーク１０の１つの実施形態を例示する。このネットワーク１０は、無線デバイス１６を、インターネット又は別のパケットデータネットワークといった１つ以上の外部ネットワーク１８に、通信可能に連結する。この図は、議論を容易にするために簡略化されており、ネットワーク１０が、例示されたエンティティのいずれか１つ以上のさらなる例を含み得ること、及び、例示されていない他のエンティティを含み得ることが認識されるであろう。例えば、ＣＮ１４は、モビリティ管理エンティティ又はＭＭＥ、サービングゲートウェイ又はＳＧＷ、パケットゲートウェイ又はＰＧＷ、及び、測位ノード、運用＆メンテナンスノード等といった１つ以上の他のノードを含み得る。
【００２５】
ＲＡＮ１２は、多数の基地局２０−１、２０−２、及び２０−３を含み、これらはＬＴＥコンテキストにおいて、ｅＮＢ又はｅＮｏｄｅＢとして言及される。明確にするために接尾文字が必要とされる場合を除き、単数及び複数の意味合いで基地局を指すために、参照番号“２０”が使用される。各基地局２０は、あるエアインターフェイスリソース−例えば、スペクトル、キャリア、チャネル等−を使用して、“セル”として言及される所与のエリアにわたってサービスを提供する。したがって、図４において基地局２０−１は、セル２２−１を提供し、基地局２０−２は、セル２２−２を提供し、基地局２０−３は、セル２２−３を提供する。明確にするために接尾文字が必要とされる場合を除き、ここでは、単数及び複数の意味合いでセルを指すために、参照番号“２２”が使用される。
【００２６】
当然ながら、所与の基地局２０は、例えば、マルチキャリア動作のケースにおいては２つ以上のセル２２を提供してもよく、ここでの教示内容は、図４に描かれる基地局２０及びセル２２の配置に限定されない。例えば、セルのサイズは、適応的であってもよく、又は不均一であってもよい。後者のケースにおいて、ネットワーク１０は、“マクロ”セルとして言及される１つ以上の大きなセルの上に、“ミクロ”セル、“ピコ”セル、又は“フェムト”セルとして言及される１つ以上のより小さなセルが重畳されたヘテロジニアスネットワークを含み得る。これらのより小さなセルは、低電力アクセスポイントにより提供され、より高いデータレートのサービスを提供するサービスホットスポットとして使用されてもよく、及び／又は、マクロセルによって提供されるサービスカバレッジを拡張するか、若しくは補充するために使用されてもよい。幾つかのヘテロジニアスな配備において、マイクロセルはマクロセルにより使用されるものと同一の無線アクセス技術を使用し、例えば、ＬＴＥベースのマイクロセルはＬＴＥベースのマクロセルに重畳される。
【００２７】
図５は、基地局２０及び無線デバイス１６−１の１つの実施形態についての例示的な詳細を例示しており、無線デバイス１６−１は、別の無線デバイス１６−２に関係付けて示されている。当業者らは、図５が機能的な及び／又は物理的な回路配列を例示していること、並びに、基地局及び無線デバイス１６−１が概して、構成データ、動作データ、又は作業データを記憶するために、及び、コンピュータプログラム命令を記憶するために、デジタル処理回路（及び関連付けられたメモリ又は他のコンピュータ可読媒体）を含むことを認識するであろう。ここで企図される実施形態の少なくとも幾つかにおいて、ネットワーク側及びデバイス側の機能性は、少なくとも部分的にデジタル処理回路のプログラム的な構成を通じて、記憶済みのコンピュータプログラム命令の当該回路による実行に基づき実現される。
【００２８】
基地局２０が、通信インターフェイス３０、処理回路３２、並びに関連付けられたメモリ／ストレージ３４（例えば、揮発性の作業メモリと、不揮発性の構成及びプログラム用メモリ又はストレージとの混合といった、１つ以上のタイプのコンピュータ可読媒体）を含むことが、この例から分かる。通信インターフェイス３０は、基地局２０の特質に依存するが、概して、基地局２０により提供されるいずれか１つ以上のセル２２内の任意の数の無線デバイス１６と通信するための無線送受信機（例えば、無線送信、受信、及び処理回路のプール）を含む。その例において、通信インターフェイス３０は、１つ以上の送信機及び受信機、例えばセルラー無線回路と、それに加え、電力制御回路及び関連付けられた信号処理回路とを含む。さらに、同一のシナリオにおいて、通信インターフェイス３０は、基地局間インターフェイス及び／又はバックホールインターフェイス若しくは他のＣＮ通信インターフェイスを含み得る。
【００２９】
処理回路３２は、例えば、ここで教示される通りにネットワーク側の処理を実行するように固定的に構成され又はプログラミングされるデジタル処理回路を備える。１つの実施形態において、処理回路３２は、１つ以上のマイクロプロセッサ、デジタル信号プロセッサ（ＤＳＰ）、ＡＳＩＣ、ＦＰＧＡ等を備え、それらは、ここでの教示内容に従って構成される。特定の一実施形態において、メモリ／ストレージ３４は、コンピュータプログラム３６を記憶する。例示的な一実施形態において、処理回路３２は、コンピュータプログラム３６を構成するコンピュータプログラム命令を当該処理回路３２自体が実行することに基づき、ここでの教示内容に従って少なくとも部分的に構成される。この点に関し、メモリ／ストレージ３４は、コンピュータプログラム３６のための非一時的ストレージを提供するコンピュータ可読媒体を備えるものとして理解されるであろう。
【００３０】
例示的な無線デバイス１６−１に戻ろう。当該無線デバイス１６−１は、セルラー無線電話（スマートフォン、フィーチャーフォン等）か、タブレットコンピュータ若しくはラップトップコンピュータか、ネットワークアダプタ、ネットワークカード、ネットワークモデム、若しくは他のそうしたインターフェイスデバイスか、又は、本質的に、ネットワーク１０における無線通信のために構成されるデバイス若しくは他の装置であり得る。３ＧＰＰのコンテキストにおいて、無線デバイス１６−１はＵＥとして言及されており、ネットワーク１０のエアインターフェイスに従った動作のために構成される無線周波数受信機４２及び無線周波数送信機４４を含む通信インターフェイス４０を含むものとして、理解されるであろう。
【００３１】
無線デバイス１６−１はさらに、処理回路４６を含み、当該処理回路４６は、メモリ／ストレージ４８を含むか、又はそれに関連付けられる。メモリ／ストレージ４８は、例えば、揮発性の作業メモリと、不揮発性の構成及びプログラム用メモリ又は他のストレージとの混合といった、１つ以上のタイプのコンピュータ可読媒体を含む。同様に、当業者らは、通信インターフェイス４０がアナログ回路及びデジタル回路の混合を備え得ることを認識するであろう。例えば、１つ以上の実施形態における受信機４２は、アンテナにより受信される１つ以上の信号に対応するデジタル信号サンプルの１つ以上のストリームを生成する受信機フロントエンド回路−図では明示的に示していないが−と、それに加え、デジタルサンプルについて動作する１つ以上の受信機処理回路−例えば、ベースバンドデジタル処理回路、及び関連付けられたバッファメモリ−とを備える。例示的な動作には、送信された情報を回復するための、おそらくは干渉抑圧を伴った線形化又は他のチャネル補償と、シンボル復調／検出及び復号とが含まれる。
【００３２】
通信インターフェイス４０を通じて受信され及び送信される受信（ＲＸ）信号及び送信（ＴＸ）信号のためのデジタルベースバンド処理の少なくとも一部は、処理回路４６において実装され得る。この点に関し、処理回路４６は、デジタル処理回路を備え、１つ以上のマイクロプロセッサ、ＤＳＰ、ＡＳＩＣ、ＦＰＧＡ等として実装され得る。より一般的に、処理回路４６は、固定的に構成される回路又はプログラミングされる回路を使用して実装され得る。例示的な一実施形態において、メモリ／ストレージ４８は、非一時的な態様でコンピュータプログラム５０を記憶するコンピュータ可読媒体を備える。そうした実施形態における処理回路４６は、コンピュータプログラム５０を構成するコンピュータプログラム命令を当該処理回路４６自体が実行することに基づき、ここでの教示内容に従って少なくとも部分的に構成される。
【００３３】
例えば、無線デバイス１６間でのデバイスツーデバイス（Ｄ２Ｄ）通信で使用するためのデバイス生成型同期信号の、無線デバイス１６からの送信についてのここでの送信関連の詳細に関し、図５に示される無線デバイス１６−２が、無線デバイス１６−１と同一又は同様の実装を有するものとして理解され得ることに留意されたい。換言すると、任意の所与の無線デバイス１６内の処理回路４６及び補助回路が、ここで教示される同期信号受信処理及び／又はここで教示される同期信号送信処理を実行するように構成されてよい。
【００３４】
ここでの、無線デバイス１６又は他の受信機のために企図されるような同期信号受信処理についての例示的な詳細に関し、図６は、受信された同期信号を処理する方法６００の例示的な一実施形態を例示する。図６に示される処理が、無線デバイス１６−１について図５に示されるような、記憶されたコンピュータプログラム命令の実行に基づき、例えば、記憶されたコンピュータプログラム５０を処理回路４６が実行することにより、プログラム的な構成を少なくとも部分的に介して実装され得ることが認識されるであろう。また、図６が、固有の又は必要とされる処理の順序を必ずしも暗示していないこと、及び、例示される方法ステップの１つ以上が、例示とは異なる順序で実行されてよいことも認識されるであろう。さらに、方法６００又はそこに含まれるステップは、並列で実行されてもよく、周期的なベースで、若しくはトリガされることによって、繰り返されるか、さもなければループされてもよく、及び／又は、例えば進行中の処理若しくはバックグラウンド処理の一部として、進行中という意味合いで実行されてもよい。
【００３５】
以下に供されるさらなる例において参照を容易にするため、用語及び見解の以下の要約が適用される。
−ＮＷＳＳは、ネットワーク同期信号、例えば、基地局２０により送信されるようなＰＳＳ及びＳＳＳを表す。
−ＤＧＳＳは、デバイス生成型同期信号を表し、“Ｄ２ＤＳＳ”は、Ｄ２Ｄ同期のためのそうした信号を表す。ＤＧＳＳが、無線デバイス１６により送信されるようなＰＳＳ及びＳＳＳを含み得ることに留意されたい。
−ＰＳＳ及びＳＳＳは、ＮＷＳＳであるのか、それともＤ２ＤＳＳであるのかに関係なく、プライマリ同期信号及びセカンダリ同期信号を表す。
−ＰＤＧＳＳ又はＰＤ２ＤＳＳは、無線デバイス１６により送信されるようなＰＳＳを表す。
−ＳＤＧＳＳ又はＳＤ２ＤＳＳは、無線デバイス１６により送信されるようなＳＳＳを表す。
ＬＴＥネットワーク内のｅＮＢにより使用されるレガシーＬＴＥ  ＰＳＳ及びレガシーＬＴＥ  ＳＳＳが、それぞれＰＤ２ＤＳＳ及びＳＤ２ＤＳＳの特別なケースであることに留意されたい。
【００３６】
方法６００は、無線デバイス１６において受信される同期信号を検出すること（６０２）と、当該同期信号の相対的位置又はマッピングから、当該同期信号が、基地局から発せられたＮＷＳＳであるのか、別の無線デバイス１６から発せられたＤＧＳＳであるのかについて決定すること（ブロック６０４）とを含む。同期信号がＮＷＳＳであると決定された場合、方法６００は、第１の処理手続に従って、例えば、ＮＷＳＳの受信に関連付けられるか、さもなければＮＷＳＳの受信のために定義された、ルール又は処理のアクションを使用して、受信された同期信号を処理すること（ブロック６０６）を続行する。反対に、同期信号がＤＧＳＳであると決定された場合、方法６００は、第２の処理手続に従って、例えば、ＤＧＳＳの受信に関連付けられるか、さもなければＤＧＳＳの受信のために定義された、ルール又は処理のアクションを使用して、受信された同期信号を処理すること（ブロック６０８）を続行する。
【００３７】
１つの例において、受信される同期信号は、新たに検出される同期信号であり、第１の及び／又は第２の処理手続は、無線デバイス１６の同期リファレンスを、新たに検出される同期信号に更新すべきか否かを決定することを含む。
【００３８】
少なくとも幾つかの実施形態に適用可能な別の例において、第２の処理手続は、同期信号がＤＧＳＳである場合に送信される物理Ｄ２Ｄ同期チャネル（ＰＤ２ＤＳＣＨ）の復号を試行することを含み得る。つまり、受信された同期信号がＤＧＳＳであると認識することにより、関連付けられたＰＤ２ＤＳＣＨの復号の試行がトリガされ得る。
【００３９】
そうした手続は、ＰＤ２ＤＳＣＨを復号することから得られる１つ以上のパラメータを処理することを含む。より詳細には、受信された同期信号がＮＷＳＳである場合、無線デバイス１６は、当該同期信号に関連して送信されるＰＤ２ＤＳＣＨが存在しないことを知ることができる。その一方で、受信された同期信号がＤＧＳＳである場合、無線デバイス１６は、当該同期信号に関連してＰＤ２ＤＳＣＨが送信されると想定し得る。少なくとも幾つかの実施形態において、ＰＤ２ＤＳＣＨはＤＧＳＳに対して相対的な既知の関係に従って送信され、無線デバイス１６はそれによりＰＤ２ＤＳＣＨをどこに見出すはずであるのかを知得する。
【００４０】
さらなる例において、第１の処理手続は、ＮＷＳＳを基準として無線デバイスの１つ以上のタイミングを同期させるための第１のルールを含み、第２の処理手続は、Ｄ２ＤＳＳを基準として無線デバイスの１つ以上のタイミングを同期させるための第２のルールを含む。これらのルールは、プリファレンス若しくはプライオリティの順序で同期信号をいかにランク付けするのか、及び／又は、受信タイミングに送信タイミングを同期させるために、どの同期信号を使用すべきか、を規定する。この点に関し、無線デバイス１６が、ＮＷＳＳ及びＤＧＳＳの両方を受信することがあってもよく、処理ルールを使用して、そのデュアル受信をいかに調整すべきかを判定し得ること−例えば、ネットワーク同期が利用可能であるときにはデバイス生成型同期を無視すること、あるデバイス同期のためにネットワーク同期信号を使用し、他のあるデバイス同期のためにＤ２Ｄ同期信号を使用することなど−が理解されるものとする。そのようなルールは、例えば、ＤＧＳＳが２つ以上のソースから受信されるか、又は２つ以上の同期リファレンスのために受信される例にも適用される。
【００４１】
より詳細な例を考慮されたい。ここでは、受信された同期信号が、プライマリ同期信号（ＰＳＳ）及びセカンダリ同期信号（ＳＳＳ）を含み、当該ＰＳＳ及び当該ＳＳＳは、ＤＧＳＳ送信の特性である、両者の間において距離を有するものとして、受信する無線デバイス１６により検出される。そうした例において、決定するステップ（ブロック６０４）は、プライマリ同期信号とセカンダリ同期信号との間の距離が、ＤＧＳＳ送信について既知である、特徴的な距離に一致するときに、受信された同期信号がＮＷＳＳよりもむしろＤＧＳＳであると決定することを含む。この特徴的な距離が、ＮＷＳＳ送信について既知である、ＰＳＳとＳＳＳとの間の特徴的な距離とは異なることが理解されるであろう。
【００４２】
特定の例において、無線デバイス１６は、受信されたＰＳＳ／ＳＳＳについて検出されたＰＳＳ／ＳＳＳの間隔（spacing）が、ＴＤＤモードで動作する基地局２０により使用されることが既知である、定義された距離とは異なるときに、並びに／又は、プライマリ同期信号及びセカンダリ同期信号の順序が、ＦＤＤモードで動作する基地局により使用されることが既知である、定義された順序とは異なるときに、受信されたＰＳＳ／ＳＳＳがＤＧＳＳであると決定する。
【００４３】
よって、幾つかの実施形態において、問題となる“相対的位置又はマッピング”は、無線デバイス１６によりＤＧＳＳとして送信されるときのＰＳＳとＳＳＳとの分離（separation）に対する、基地局２０によりＮＷＳＳとして送信されるときのＰＳＳとＳＳＳとの分離である。１つの例において、Ｄ２ＳＳについてのＰＳＳ及びＳＳＳは、隣接するシンボル時間において送信され、一方で、ＮＷＳＳについて、ＰＳＳ及びＳＳＳは、３つのシンボル時間の分離を伴って送信される。
【００４４】
同一の又は他の実施形態において、ＰＳＳ及びＳＳＳは、ＮＷＳＳについては第１の順序で、ＤＧＳＳについては第２の順序で送信される。例えば、基地局２０は、ＮＷＳＳ送信のために、ＳＳＳを最初に送信し、ＰＳＳがそれに続く。反対に、無線デバイス１６は、ＤＧＳＳ送信のために、ＰＳＳを最初に送信し、ＳＳＳがそれに続く。よって、受信機は、ＰＳＳ／ＳＳＳの順序に基づき、ＮＷＳＳとＤＧＳＳとを区別する。そうした例において、“相対的位置又はマッピング”は、ＮＷＳＳについてのＰＳＳ／ＳＳＳの位置の順序に対する、ＤＧＳＳについてのＰＳＳ／ＳＳＳの位置の順序を構成する。つまり、時間及び／又は周波数の観点におけるＤＧＳＳのマッピング又は位置は、ＰＳＳ及びＳＳＳを、ＮＷＳＳよりもむしろＤＧＳＳとして特性的に区別する。
【００４５】
当然ながら、これらの特性上の差異が、組み合わされてもよい。例えば、ＰＳＳ／ＳＳＳの分離は、問題の同期信号がＮＷＳＳであるのか、それともＤＧＳＳであるのかを示し、一方で、ＰＳＳ／ＳＳＳの順序は、ＤＧＳＳを送信する無線デバイス１６のタイプ、サブタイプ、又はカテゴリといった、ＤＧＳＳについてのさらなるパラメータを示す。さらにまた、問題の、受信された同期信号がＰＳＳ及びＳＳＳを含むケースにおいて、ＮＷＳＳとＤＧＳＳとの間の相対的位置又はマッピングの差異は、例えば、ペアリングとして取り扱われるなど、ＰＳＳ／ＳＳＳの両方に適用されてもよく、又はそれらの一方にのみ適用されてもよい。
【００４６】
さらなる例において、無線デバイス１６は、ＳＳＳ送信のために基地局２０により使用されるマッピングに対し、同期信号の、当該同期信号を伝達するＯＦＤＭ信号の時間周波数リソースへの異なる特徴的なマッピングを使用する。特定の例において、ＤＧＳＳ送信におけるＳＳＳは、ＮＷＳＳ送信においてＳＳＳのために使用されるマッピングとは異なる態様でマッピングされる。よって、受信機は、ＳＳＳマッピングを検出及び評価して、受信された同期信号がＤＧＳＳであったのか、それともＮＷＳＳであったのかを判定する。
【００４７】
別の実施形態において、問題の相対的位置又はマッピングは、同期信号がアップリンクスペクトルに配置されているのか、それともダウンリンクスペクトルに配置されているのかを基準とする。例示的な一実施形態において、基地局２０は、無線スペクトルのダウンリンク部分においてＰＳＳ及びＳＳＳをＮＷＳＳとして送信し、一方で、無線デバイス１６は、無線スペクトルのアップリンク部分においてＰＳＳ及びＳＳＳをＤＧＳＳとして送信する。よって、受信機は、所与の受信されたＰＳＳ及びＳＳＳがアップリンクスペクトルに配置されているのか、それともダウンリンクスペクトルに配置されているのかを検出することに基づき、当該受信されたＰＳＳ及びＳＳＳが基地局２０から、それとも無線デバイス１６から発せられたのかを検出する。
【００４８】
上で注記したように、ここでの教示内容は、複数通り送信特性を共に使用して、キャリアのタイプ及び／又は送信機のタイプだけではないより多くを指し示すことをも企図する。例えば、基地局２０及び無線デバイス１６は、ＰＳＳ送信及びＳＳＳ送信のために異なる特徴的な間隔を使用してもよく、それにより、当該ＰＳＳ及びＳＳＳが基地局２０から、それとも無線デバイス１６から発せられたのかを、受信機が、受信されたＰＳＳ及びＳＳＳの間隔から分かるようにする。さらに、異なるタイプの無線デバイス１６が、同一のＰＳＳ／ＳＳＳ間隔を使用し、但しＰＳＳ及びＳＳＳの異なる特徴的な順序を使用して、無線デバイスのサブタイプ、カテゴリ、クラス等を指し示す。例えば、ＰＳＳの後にＳＳＳが続くことは、１つのデバイスサブタイプを示し、一方で、ＳＳＳの後にＰＳＳが続くことは、別のデバイスサブタイプを示す。
【００４９】
図７を考慮されたい。図７は、Ｄ２Ｄ同期信号を送信するために、無線デバイス１６により実行される方法７００の１つの実施形態を描いている。方法７００の１つ以上のステップは、この図により示唆される順序以外の順序で実行されてもよく、方法７００は、反復、ループ等されてもよく、無線デバイス１６における他の処理と一緒に実行されてもよい。
【００５０】
方法７００は、ＮＷＳＳを生成するためにネットワーク１０により使用されるシーケンスの少なくともサブセットを用いて、同期信号を生成すること（ブロック７０２）を含む。例えば、ＰＳＳを生成するために、複数の基地局２０により使用される同一のＺａｄｏｆｆ−Ｃｈｕシーケンスの幾つか若しくは全てがＤＧＳＳ送信用のＰＳＳの生成のために無線デバイス１６により再利用され、及び／又は、ＳＳＳを生成するために複数の基地局２０により使用される同一のＭシーケンスの幾つか若しくは全てがＤＧＳＳ送信用のＳＳＳの生成のために無線デバイス１６により再利用される。さらに、方法７００は、同期信号がＤ２Ｄ同期信号であることを、受信する無線デバイス１６が認識することを可能にする相対的位置又はマッピングに従って、Ｄ２Ｄ  ＰＳＳ及び／又はＤ２Ｄ  ＳＳＳを送信すること（ブロック７０４）を含む。
【００５１】
ここで認識されることとして、同期信号を受信する受信機は、当該同期信号が受信されるキャリアのタイプを検出することからの恩恵を受け、送信機のタイプを検出すること−即ち、同期信号が、基地局２０により送信されたＮＷＳＳであるのか、それとも無線デバイス１６により送信されたＤＧＳＳであるのかを検出すること−からの恩恵を受ける。また、ここに開示される少なくとも幾つかの実施形態において定められているように、同期信号を発する送信機についてのサブタイプ、クラス、又はカテゴリの情報を検出することからのさらなる恩恵が受けられる。
【００５２】
受信された同期信号が、基地局２０から発せられたのか、それとも無線デバイス１６から発せられたのかを知得すること、及び／又は、受信同期信号が伝達されたキャリアのタイプを知得すること、により、受信機は、受信同期信号を処理し及び使用するために最適な手続を採用することを可能とされる。例えば、キャリアのタイプを検出することは、どのリソースが送信用に利用可能であるのかを判定するために有益であり、同期信号がＮＷＳＳであるか又はＤＧＳＳであるかについての決定が、信号がいかに復号されるかを制御するために使用され、及び受信機内での同期関連の処理のために使用されてもよい。さらに、無線デバイス１６が受信されたＰＳＳ／ＳＳＳの送信特性に基づいて送信機のタイプ又はサブタイプを検出できる範囲で、タイプ又はサブタイプの相違する異なる複数の送信機から複数個のＰＳＳ／ＳＳＳが受信された場合に、異なる複数のＰＳＳ／ＳＳＳの信頼性をランク付けするため、及び同期にとって最適な又は最も好適な信号を選択するために、上記知識が活用されてもよい。
【００５３】
以下のさらなる例の文脈における検討の前提は、ＤＧＳＳを送信する無線デバイス１６が、ＬＴＥ  ＰＳＳについて定義されたＺａｄｏｆｆ−Ｃｈｕシーケンスの少なくとも幾つかを再利用するというものである。プライマリＤＧＳＳ（ＰＤＧＳＳ）のために使用される固有のシーケンスを、予め定義されたマッピングに従って判定することができる。マッピングの例には、シーケンスを、少なくともデバイスｉｄ−ＵＥ  ｉｄ−又は同期ｉｄにマッピングすることが含まれる。さらなる前提として、無線デバイス１６は、ＬＴＥ  ＳＳＳについて定義されたＭシーケンスの少なくとも幾つかを再利用して、セカンダリＤＧＳＳ（ＳＤＧＳＳ）を送信する。ＳＤＧＳＳのために使用される固有のシーケンスを、予め定義されたマッピングに従って判定することができる。マッピングの例には、シーケンスを、少なくともデバイスｉｄ又は同期ｉｄにマッピングすることが含まれる。よって、受信する無線デバイス１６は、例えば時間ドメイン相関により、ＰＤＧＳＳの位置を検出し、ＰＤＧＳＳシーケンスｉｄを検出する。さらに、受信する無線デバイス１６は、例えば時間ドメイン相関により、ＳＤＧＳＳの位置を検出し、ＳＤＧＳＳシーケンスｉｄを検出する。
【００５４】
さらなる前提として、ＤＧＳＳを送信する所与の無線デバイス１６について、当該デバイスは、ＰＳＳ及びＳＳＳを送信するためにネットワーク基地局により使用される位置とは特性的に異なる相対的位置を使用して、ＰＤＧＳＳ及びＳＤＧＳＳを送信する。例えば、無線デバイス１６は、隣接するシンボル時間にＰＤＧＳＳ及びＳＤＧＳＳを位置付けてもよく、これに対し、基地局は、ＰＳＳとＳＳＳとを３つのＯＦＤＭシンボル時間分離隔する。異なる特性は、ＦＤＤキャリアのタイプとＴＤＤキャリアのタイプとを区別するために使用されてもよい。よって、ここでの教示内容に従った受信機は、受信されたＰＳＳ／ＳＳＳに関連付けられた１つ以上の特性を検出し及び評価することに基づき、受信されたＰＳＳ／ＳＳＳに関連付けられた送信機のタイプ及び／又はキャリアのタイプを検出することができる。有利にも、受信機は、受信されたＰＳＳ／ＳＳＳに関連付けられた送信機及び／又はキャリアの検出されたタイプに従って、対応する様々なアクションを取る。
【００５５】
１つの実施形態において、ＤＧＳＳ送信は、プライマリ同期信号の送信及びセカンダリ同期信号の送信用に、ＮＷＳＳ送信のために基地局２０により使用されるものとは異なる送信順序を使用する。例えば、ＤＧＳＳを送信する無線デバイス１６は、最初にプライマリ同期信号（ＰＤＧＳＳ）を送信し、その後、セカンダリ同期信号（ＳＤＧＳＳ）が続く。これとは対照的に、基地局２０は、少なくとも基地局２０がＦＤＤモードで動作しているケースについて、最初にＳＳＳを送信し、その後、ＰＳＳが続く。ここでの“最初に”とは、シンボル時間を指す。このアプローチにより、受信機は、ＮＷＳＳ対ＤＧＳＳについて使用される特徴的な順序を知得することができるように構成され、よって、受信されたＰＳＳ及びＳＳＳの順序を検出することに基づき、受信されたＰＳＳ及びＳＳＳがＮＷＳＳであるのか、それともＤＧＳＳであるのかを判定する。
【００５６】
別の例示的な実施形態において、ＤＧＳＳを送信する無線デバイス１６は、ＳＳＳに隣接してＰＳＳを送信する。これとは対照的に、基地局２０は、３つのＯＦＤＭシンボル分離隔してＰＳＳ及びＳＳＳを送信する。ＰＳＳ／ＳＳＳの順序は重要ではなく、なぜなら、ここではＰＳＳとＳＳＳとの間の距離が関心の対象となる特性であるためである。よって、ＰＳＳ及びＳＳＳを受信する受信機は、受信されたＰＳＳとＳＳＳとの間の距離に基づき、受信されたＰＳＳ及びＳＳＳがＮＷＳＳであるのか、それともＤＧＳＳであるのかを決定する。
【００５７】
別の例示的な実施形態において、ＤＧＳＳを送信する無線デバイス１６は、アップリンクキャリア上でＰＳＳ及びＳＳＳを送信し、一方で、基地局２０は、ダウンリンクキャリア上でＰＳＳ及びＳＳＳを送信する。よって、ＰＳＳ及びＳＳＳを受信する受信機は、それらがスペクトルのダウンリンク部分で受信されたのか、それともスペクトルのアップリンク部分で受信されたのかに基づき、受信されたＰＳＳ及びＳＳＳがＮＷＳＳであるのか、それともＤＧＳＳであるのかを決定する。
【００５８】
別の例示的な実施形態においては、キャリアがＴＤＤのタイプであるのか、それともＦＤＤのタイプであるのか、及び／又は、送信機が無線デバイス１６であるのか、それとも基地局２０であるのかに依存して、ＳＳＳを生成するために使用されるＭシーケンス−ＳＳＳ１及びＳＳ２−の様々なマッピングが、送信機により採用される。様々なマッピングは、予め定義されたマッピングのルールから既知であり得る。１つの例において、ＳＳＳ１及びＳＳＳ２は、おそらくはＤＣをカウントすることなく、それぞれ偶数サブキャリア及び奇数サブキャリアにマッピングされ、又はその逆も行われる。よって、ＰＳＳ及びＳＳＳを受信する受信機は、受信されたＰＳＳ及びＳＳＳのために使用されるマッピングを検出することに基づき、受信されたＰＳＳ及びＳＳＳがＮＷＳＳであるのか、それともＤＧＳＳであるのかを決定し、及び／又は、キャリアのタイプを検出する。
【００５９】
別の例示的な実施形態において、Ｍシーケンス−ＳＳＳ１及びＳＳＳ２−の様々なマッピングが、タイミングの曖昧性の解消を可能にするために使用される。ここで、ＤＧＳＳを送信する無線デバイス１６は、ＳＤＧＳＳを搬送するサブフレーム又は時間リソースの少なくともインデックスに依存して、ＳＳＳ１シーケンス及びＳＳＳ２シーケンスのために異なるマッピングを採用する。例えば、ＳＳＳ１及びＳＳＳ２は、１つおきのＳＤＧＳＳ送信インスタンスにおいては、おそらくはＤＣをカウントすることなく、それぞれ偶数サブキャリア及び奇数サブキャリアにマッピングされてよく、残りのＳＤＧＳＳ送信インスタンスにおいては、おそらくはＤＣをカウントすることなく、それぞれ奇数サブキャリア及び偶数サブキャリアにマッピングされてよい。よって、ＳＤＧＳＳを受信する無線デバイス１６又は他の受信機は、ＳＳＳ１及びＳＳＳ２のマッピングを検出し、それに従って、ＳＤＧＳＳ送信タイミングの曖昧性を解決する。この点に関し、ＤＧＳＳがＸｍｓの周期性で送信される場合、Ｘｍｓの任意の倍数の曖昧性を伴ってフレーム位置が知得されることに留意されたい。しかしながら、ＤＧＳＳのパラメータ（例えば、Ｍシーケンスのマッピング）が１つおきのＤＧＳＳ送信において変動する場合、曖昧性は、２＊Ｘｍｓに拡張される。
【００６０】
別の実施形態において、ＳＳＳを生成するために使用されるＭシーケンス−ＳＳＳ１及びＳＳ２−の異なるマッピング、並びに／又は、無線フレームへのＰＳＳ及びＳＳＳの、異なる時間ドメインマッピング及び／若しくは周波数ドメインマッピングが、異なる送信機のタイプ及び／又はキャリアのタイプに関連付けられ、おそらくは、ＰＳＳ／ＳＳＳを送信するＤ２Ｄ対応型キャリア及び／又は送信機に関連付けられた他のパラメータに関連付けられる。このようにして、受信機は、ＰＤＧＳＳ、ＳＳＳ１、及びＳＳＳ２のマッピングを検出し、検出されたマッピングから、キャリア及び送信機に関する関連付けられた情報を取得する。
【００６１】
別の実施形態において、ブロードキャスト制御チャネル内、例えばＰＤ２ＤＳＣＨ内に含まれる制御フィールドのセットは、Ｄ２Ｄブロードキャスト制御チャネルに関連付けられる同期信号の送信の少なくともキャリアタイプ及び／又はタイプに依存する。例えば、キャリアがＴＤＤタイプである場合にのみＴＤＤコンフィグレーションフィールドが含まれ、送信機がｅＮＢタイプではない場合にのみｓｙｎｃリレーホップ数フィールドが含まれ、送信機がｅＮＢタイプではない場合にのみＰｒｏＳｅアドレスフィールドが含まれ、又はＰｒｏＳｅアドレスフィールド長がＰＳＳを送信する送信機のタイプに依存する。
【００６２】
受信機は、検出された制御情報ビットの解釈を、Ｄ２ＤＳＳ及び／又はＰＤ２ＤＳＣＨを送信するキャリアのタイプ及び／又はデバイスのタイプに適合させる。例えば、制御情報内の異なるフィールドがキャリアのタイプ及び／又はデバイスのタイプに依存して異なる長さを有してもよく、幾つかのケースにおいては、そうしたフィールドが存在しなくてもよいことに留意されたい。極端なケースでは、ＰＤ２ＤＳＣＨが完全に存在しないことがあってもよい。受信機は、キャリアのタイプ及び／又は送信機のタイプに依存して、復号されるワード長、レートマッチング、スクランブリング、ゼロパディング、符号化レート、ＣＲＣ計算手法における様々な仮説、及び、任意の他の検出関連の仮説又はアルゴリズムを採用してよい。キャリアのタイプ及び／又はデバイスのタイプについての情報は、明示的なシグナリング、事前の構成、又は本発明の実施形態のいずれかから取得され得る。
【００６３】
別の実施形態において、受信機は、受信されたＰＳＳ及び／又はＳＳＳの時間周期性に基づき、送信機のタイプを判定する。受信機は、複数個の連続する同期信号の送信を最初に検出し、その後、それらの周期性を計算する必要がある。よって、ここで関心の対象となる特性は、周期性であり、受信機は、どの周期性がＮＷＳＳに特徴的であり、どの周期性がＤＧＳＳに特徴的であるかの知識によって構成されるであろう。
【００６４】
また、以前に注記したように、無線スペクトル内のＰＳＳ／ＳＳＳの位置が、際立った特性として使用され得る。つまり、受信機は、ＰＳＳ／ＳＳＳが受信されたスペクトルに基づき、受信されたＰＳＳ／ＳＳＳに関連付けられた送信機のタイプを判定する。例えば、ＰＳＳ／ＳＳＳがスペクトルのアップリンク部分において受信されたのか、それともダウンリンク部分において受信されたのかに基づき、送信機のタイプが判定される。
【００６５】
少なくとも幾つかのケースにおいて、理解されるであろうこととして、受信機は、例えば、予め構成される情報、又は、いずれかのノードから受信される前もってのシグナリングにより、あるＰＳＳ／ＳＳＳに関連付けられるキャリアのタイプ及び／又は送信機のタイプについて、既に認識済みであってもよい。そうした情報に基づき、受信機は、新たなＰＳＳ／ＳＳＳを検出する際に、上の実施形態のいずれかに基づいてテストされる仮説の数及び範囲を限定し得る。
【００６６】
さらに、上の実施形態が本質的にあらゆる態様で組み合わされてもよいことが認識されるであろう。幾つかのケースにおいて、実施形態の組み合わせは、３つ以上のタイプの送信機を受信機が識別することを可能にする。つまり、ＰＳＳとＳＳＳとの間の距離が送信機のタイプを表し、ＰＳＳ対ＳＳＳの順序が送信機のサブタイプを表すといったように、２つ以上の「次元」を使用して、ＰＳＳ／ＳＳＳ送信が特徴付けられてもよい。そうした組み合わせは、複数個の送信機のタイプ及びサブタイプ−例えば、送信機のタイプは、ｅＮＢタイプか、ＵＥタイプか、ＵＥタイプ２か、又はＵＥタイプ３等である−をシグナリングするために、有利に利用され得る。異なるＵＥのタイプが、例えば、異なるケイパビリティ及び／又は異なる同期の特性若しくは信頼性を有してもよい。
【００６７】
以下の例示的な受信機の挙動について考慮されたい。この挙動は、ＰＳＳ及びＳＳＳがＤＧＳＳ送信であるときに、ＰＳＳの直ぐ後にＳＳＳが続くことを想定しており、さらに、基地局２０がＮＷＳＳのために異なる間隔を使用することを想定している。さらに、キャリアのタイプに依存して、異なるＳＳＳ１マッピング／ＳＳＳ２マッピングが使用されることが想定される。よって、間隔又は距離の特性は、ＰＳＳ／ＳＳＳを送信する送信機のタイプを示し、ＳＳＳ１／ＳＳＳ２のために使用されるマッピング特性は、キャリアのタイプを示す。
【００６８】
したがって、ここで企図される１つの例に従った受信機は、以下の処理アルゴリズムを実行する。
−受信機は、キャリアのタイプ及び送信機のタイプが未知であるＰＳＳを検出する。
−受信機は、当該ＰＳＳを基準として、ＳＳＳと、その位置とを検出する。
仮説検定１−受信機は、ＰＳＳとＳＳＳとの間の特徴的な距離に基づき、ＰＳＳ／ＳＳＳがＴＤＤモードで動作する基地局２０から発せられていないと決定する。
仮説検定２−受信機は、ＰＳＳ及びＳＳＳの特徴的な順序に基づき、ＰＳＳ／ＳＳＳがＦＤＤモードで動作する基地局から発せられていないと決定する。
決定１−仮説検定１及び２に基づき、受信機は、送信機が無線デバイス１６であること、及び、ＰＳＳ／ＳＳＳが、よって、それぞれＰＤＧＳＳ及びＳＤＧＳＳであることを結論付ける。
−受信機は、ＳＤＧＳＳのために使用されるシーケンスＳＳＳ１及びＳＳＳ２の特徴的なマッピングを検出し、そのマッピングから、キャリアのタイプがＦＤＤであるのか、それともＴＤＤであるのかを決定する。
−上記の意思決定に基づき、受信機は、ＰＳＳ／ＳＳＳがＤＧＳＳであることを知得でき、それらがどのタイプのキャリアで伝達されたのかを知得でき、よって、関連付けられたＰＤ２ＤＳＣＨを読み取るときに、正しい復号アルゴリズムのパラメータを適用して、検出されたフィールドを正しく解釈する。
【００６９】
例示的な利点
ここでの教示内容は、それらの複数の利点の中でも、ＬＴＥ  ｓｙｎｃ信号の検出のための既存のアルゴリズムのほとんどを再利用することを可能にし、それでいてなお、受信機が、受信されたＰＳＳ／ＳＳＳに関連付けられたキャリアのタイプを検出すること、及び／又は、受信されたＰＳＳ／ＳＳＳがＮＷＳＳであるのか、それともＤＧＳＳであるのかを検出することも可能にする。すると、これらの能力は、無線通信ネットワーク１０内で動作する受信機、例えば無線デバイス１６が、キャリアのタイプに依存して、及び／又は、受信された同期信号がＮＷＳＳであるのか、それともＤＧＳＳであるのかを認識することに依存して、受信された同期信号を適正に復号し、処理し、使用することを可能にする。さらに、少なくとも幾つかの実施形態において、受信機は、送信機のサブタイプ、カテゴリ等を認識し、このことは、受信機により使用される処理ルール又は手続の、さらなる改良を可能にする。
【００７０】
１つの態様において、ここでの教示内容が、Ｄ２Ｄ  ｉｄをＤＧＳＳ及び／又は他のＤ２Ｄ信号若しくはチャネルにマッピングする様々な方式を使用するものとして理解されてもよく、ここで、当該マッピングは、Ｄ２Ｄ  ｉｄのタイプ及び／又は長さの関数であり、例えば、異なるスクランブリングを使用し得る。同期信号により搬送されるべきｉｄがセルＩＤである場合、セルＩＤの、ＰＳＳ／ＳＳＳへのレガシーマッピングは、ＤＧＳＳについてさえも再利用される。セルＩＤは、ＤＧＳＳに関連付けられたＰＤ２ＤＳＣＨにより搬送され得る。加えて、ＰＤ２ＤＳＣＨ、スケジューリング割り当て、制御チャネル等といったＤ２Ｄ信号／チャネルが、セルＩＤから導出されるシーケンスでスクランブルされる。
【００７１】
同期信号により搬送されるべきｉｄがＤ２Ｄ−ＩＤである場合、そのＩＤはレガシーＬＴＥ  ＰＳＳ／ＳＳＳで定められた５０４個の値を典型的に上回り、完全なＤ２Ｄ−ＩＤから短縮されたＤ２Ｄ  ｉｄが導出される。短縮されたＤ２Ｄ−ＩＤである“Ｄ２Ｄ−ＩＤ短縮版（D2D-ID-short）”は、例えば、［０…５０３］の範囲に制限され得る。１つの実施形態によると、Ｄ２Ｄ−ＩＤ短縮版は、完全なＤ２Ｄ−ＩＤをハッシングするか、又はトランケートすることによって得られる。Ｄ２Ｄ−ＩＤ短縮版の、ＰＳＳ／ＳＳＳへのレガシーマッピングは、ＤＧＳＳのためのものであるが、完全なＤ２Ｄ−ＩＤは、ＤＧＳＳに関連付けられたＰＤ２ＤＳＣＨにより搬送され得る。加えて、ＰＤ２ＤＳＣＨ、スケジューリング割り当て、制御チャネル等といったＤ２Ｄ信号／チャネルは、Ｄ２Ｄ−ＩＤ短縮版から導出されるシーケンスでスクランブルされ得る。
【００７２】
いずれのケースにおいても、ここでの少なくとも幾つかの実施形態において、無線デバイス１６は、ネットワーク同期信号を生成するためにネットワーク１０内の複数の基地局により使用される同一のシーケンスの少なくともサブセットを用いて、同期信号を生成する。しかしながら、無線デバイス１６は有利にも、同期信号が、基地局２０から発せられたネットワーク同期信号よりもむしろ無線デバイス１６から発せられたＤ２Ｄ同期信号であることを、受信機−例えば別の無線デバイス１６−が認識することを可能にする相対的位置又はマッピングに従って、同期信号を送信する。ここで、“相対的位置又はマッピング”という用語は、Ｄ２Ｄ同期信号が、ネットワーク同期信号のために使用されるものに対して異なる位置又はマッピングを有することを表す。
【００７３】
前述の説明及び関連する図面において提示される教示内容の恩恵を享受する当業者により、開示された発明の変形例及び他の実施形態が想起されるであろうということに留意されたい。したがって、この発明が、開示された特定の実施形態に限定されるべきではない旨、並びに、変形例及び他の実施形態を、この開示の範囲内に包含することが意図されている旨を理解されるべきである。特定の用語がここで利用され得るが、それらは包括的かつ記述的な意味合いでのみ使用され、限定する目的では使用されていない。
【図１】
2019013030.tif 000003
【図２】
2019013030.tif 000004
【図３】
2019013030.tif 000005
【図４】
2019013030.tif 000006
【図５】
2019013030.tif 000007
【図６】
2019013030.tif 000008
【図７】
2019013030.tif 000009